(57)【要約】【課題】パチンコ遊技機の生産工場から直接にまたは倉庫を介してパチンコホールへ搬入されるまでの間の基板収納ケースに対する不正行為を防止する遊技機を提供する。【解決手段】基板収納ケースＡの外周側面に該基板収納ケースＡの裏面とほぼ平行をなす切り離し板部１２を突設し、該切り離し板部１２には折り曲げることにより切断可能な薄肉溝１１を設けてなり、前記基板収納ケース１２を遊技機本体６０の取付面７３に取着すると共にその一側に配置されるようにして該取付面７３に収納部材２３を取り外し不能に固着し、収納部材２３に切り離し板部１２が収納される収納室２５を成形すると共に該切り離し板部１２の無用な抜脱を防ぐ抜止め防止手段２８を設け、取付面７３から基板収納ケースＡを取り外すことにより薄肉溝１１に沿って切断される切り離し板部１２を収納室２５内に引き出し不能に収納し得るようにした。【選択図】図６
2007312928.tif 000002
【特許請求の範囲】
【請求項１】
遊技状態を制御する基板収納ケースの外周側面に該基板収納ケースの裏面とほぼ平行をなす切り離し板部を突設し、前記切り離し板部には該切り離し板部を折り曲げることにより切断可能な薄肉溝を設けてなり、
前記基板収納ケースを遊技機本体の取付面に取着すると共に該基板収納ケースの一側に配置されるようにして該遊技機本体の取付面に収納部材を取り外し不能に固着し、前記収納部材に前記切り離し板部が収納される収納室を成形すると共に該切り離し板部の無用な抜脱を防ぐ抜止め防止手段を設け、前記遊技機本体の取付面から前記基板収納ケースを取り外すことにより前記薄肉溝に沿って折り曲げられ切断される前記切り離し板部を前記収納室内に引き出し不能に収納し得るようにしたことを特徴とする遊技機。
【発明の詳細な説明】
【技術分野】
【０００１】
本発明は、正規の基板収納ケースを不正処理した基板収納ケースと故意に交換するといった不正行為を防止するようにした遊技機に関するものである。
【背景技術】
【０００２】
従来、この種の基板収納ケースは、台板の表面に遊技状態を制御するための制御回路基板を配置し、該制御回路基板の表面をカバー体で覆い内部を密閉している。通常、この基板収納ケースはパチンコ遊技機の裏側に配設される。ところで、パチンコホールにあっては、前記基板収納ケースのカバー体を開き遊技状態が遊技者に有利となるように不正処理したＲＯＭを正規のＲＯＭと交換してしまい、多くの賞球を不正に獲得するという不正行為が発生していた。
【０００３】
そこで、前記不正行為を防止するため基板収納ケースに特別な封止構造が採られている。すなわち、この封止構造は、台板に一体に設けられた第１嵌合部材とカバー体に一体に設けられた第２嵌合部材とを嵌め合わせ、その中に螺子等の係止部材を抜脱不能に嵌挿して第１嵌合部材と第２嵌合部材とを分離不能に連結するようにしている（例えば、特許文献１参照。）。
【特許文献１】特開２０００−１１６９１２号公報（第５−７頁、図２）
【発明の開示】
【発明が解決しようとする課題】
【０００４】
前記特許文献１に係る基板収納ケースのように、そのカバー体の不正な開封を防止するようにした構成がその効果を発揮するのは、専らパチンコホールにパチンコ遊技機が搬入され、該パチンコ遊技機が島台に設置された後である。これに対し、パチンコ遊技機の生産工場から直接にまたは倉庫を介してパチンコホールへ搬入されるまでの間にあっては、パチンコ遊技機に装着された正規の基板収納ケースを不正処理した基板収納ケースとそっくり交換してしまうという不正行為が行なわれており、その対策に苦慮しているのが現状である。
【０００５】
そこで、本発明は、上記課題を解決すべくなされたもので、パチンコ遊技機の生産工場から直接にまたは倉庫を介してパチンコホールへ搬入されるまでの間での基板収納ケースに対する不正行為を防止するようにした遊技機を提供することを目的とするものである。
【課題を解決するための手段】
【０００６】
かかる目的を達成するため本発明に係る遊技機は、遊技状態を制御する基板収納ケースの外周側面に該基板収納ケースの裏面とほぼ平行をなす切り離し板部を突設し、前記切り離し板部には該切り離し板部を折り曲げることにより切断可能な薄肉溝を設けてなり、前記基板収納ケースを遊技機本体の取付面に取着すると共に該基板収納ケースの一側に配置されるようにして該遊技機本体の取付面に収納部材を取り外し不能に固着し、前記収納部材に前記切り離し板部が収納される収納室を成形すると共に該切り離し板部の無用な抜脱を防ぐ抜止め防止手段を設け、前記遊技機本体の取付面から前記基板収納ケースを取り外すことにより前記薄肉溝に沿って折り曲げられ切断される前記切り離し板部を前記収納室内に引き出し不能に収納し得るようにした構成からなる。
【発明の効果】
【０００７】
本発明は、例えば取付面から基板収納ケースを故意に取り外すとき、切り離し板部が折れ曲り薄肉溝に沿って切断され、基板収納ケースから分離される。この分離された切り離し板部は、該切り離し板部の無用な抜脱を防ぐ抜止め防止手段により収納室内に引き出し不能に収納される。よって、パチンコホールに複数のパチンコ遊技機を搬入した際、それぞれ切り離し板部が残っているか否か収納室を見ることにより一目で解り、故意に不正処理した基板収納ケースと交換したか否かが容易に確認できることとなり、その交換行為が抑止される。これにより、パチンコ遊技機の生産工場から直接にまたは倉庫を介してパチンコホールへ搬入されるまでの間の基板収納ケースに対する不正行為を防止することができるという効果がある。
【発明を実施するための最良の形態】
【０００８】
以下、本発明に係る遊技機の実施の形態を図面に基き説明する。本発明において遊技機とは、パチンコ遊技機、アレンジボール機、雀球機、パチスロ機、パロット（商標）機、スロットマシン等の遊技機を指すが、その一例としてパチンコ遊技機について説明する。なお、前記パロット機とは、パチンコ球を遊技媒体としてパチスロ機の遊技が可能な遊技機である。
【０００９】
まず、本発明に係るパチンコ遊技機Ｐについて説明する。図４は本発明に係るパチンコ遊技機の裏面図である。図中、６１は外枠であり、該外枠６１の前側に遊技盤取付枠６２がその一側を支点にして回動自在に装着され、該遊技盤取付枠６２に遊技盤６３が配設される。そして、遊技盤取付枠６２の一側には、遊技盤６３の裏面全体を覆う合成樹脂製の機構板６４が開閉自在に装着される。
【００１０】
前記機構板６４の裏面には、その上部に遊技球を貯留する球タンク６５、該球タンク６５から流下する遊技球を整列流下させるタンクレール６６、また、その一側部に該タンクレール６６から流下する遊技球の球圧を弱めるカーブ樋６７、該カーブ樋６７から遊技球を受け入れる球払出装置６８、該球払出装置６８から払い出された所定個数の遊技球を誘導する球排出樋６９がそれぞれ配設されている。
【００１１】
また、前記機構板６４のほぼ中央に開口７０が開設され、該開口７０に臨んで前記遊技盤６３の裏面と対応する機構板６４の表側に球集合カバー７１が設けられ、該球集合カバー７１の裏面に遊技状態を制御する基板収納ケースＡが着脱自在に取着される。なお、７２は遊技盤６３面に設けられた可変表示装置（図示せず。）の後方部分を覆い保護する保護カバーである。本発明にあっては、前記外枠６１、遊技盤取付枠６２、球集合カバー７１が設けられた遊技盤６３及び機構板６４を合わせて遊技機本体６０という。よって、前記基板収納ケースＡは、遊技機本体６０の裏側であって球集合カバー７１の裏面に着脱自在に装着されることになる。
【００１２】
前記球集合カバー７１の裏面であって、基板収納ケースＡが取着される取付面７３には図４、６に示すように外枠６１の底面とほぼ平行な水平段部７４が形成され、該水平段部７４を境としてその下側が後方へ少し突出している。該水平段部７４のやや上側であり該水平段部７４に沿って所定の間隔離した位置に、一対の横長の上係合孔７５，７５が開設される。また、該水平段部７４の少し下側に前記両上係合孔７５，７５のほぼ中間に位置して下係合孔７６が開設される。更に、前記上係合孔７５，７５の上方であり同じ高さで所定の間隔離した位置に、爪部７７ａを後方下面に突設させた一対の弾性係止片７７，７７が突設されている。
【００１３】
次に、基板収納ケースＡについて説明する。図１は基板収納ケースの斜視図、図２は同分解斜視図である。基板収納ケースＡは、前記球集合カバー７１の裏面に取り付けられる台板１と、該台板１の表面に固着されパチンコ遊技機Ｐの遊技状態を制御する制御回路基板２と、前記台板１と同じ大きさからなり制御回路基板２を覆うようにして台板１に取着される箱状のカバー体３とからなる。
【００１４】
前記台板１は制御回路基板２に合致する縦長長方形の金属板１ａからなり、該金属板１ａ表面の四隅角部に突起４，４…が設けられている。各突起４には金属板の裏面まで貫通するねじ挿通孔５が貫設されている。また、前記金属板１ａにおける長手方向の一側端部の両側にその長手方向と平行な切込み６，６を入れ、該各切込み６の外側にそれぞれ段状に低く屈曲させた係合片部７が設けられる。前記切込み６，６間には、後記する４個の第１嵌合部材１６，１６…と嵌合する４個の第２嵌合部材８，８…が並設されている。各第２嵌合部材８には、後記する嵌合突子１９を挿入する挿入孔９が穿設されている。
【００１５】
制御回路基板２は縦長長方形をなすプリント配線基板からなり、その表面にＲＯＭ１０ａ，ＣＰＵ１０ｂ及びその他各種の電子部品１０が関連付けられ配置されている。そして、この制御回路基板２は、その長手方向の一側の両側が該長手方向に沿って一定の幅で切り欠かれて切り離し板部１２が設けられる。該切り離し板部１２は基板収納ケースＡの外周面から外側へ突出するようになっており、その表面には前記電子部品１０は配置されてない。そして、その一側部位に短手方向と平行な横断状の薄肉溝１１が設けられる。該薄肉溝１１はＶ溝に成形され容易に折れ易くなっている。
【００１６】
また、制御回路基板２における前記薄肉溝１１の両側に、該薄肉溝１１と交差するように一対の貫通長孔１３，１３が開設される。更に、その一側に２個のマーキング１４，１４が同じく薄肉溝１１と交差するように印刷されている。制御回路基板２の四隅部には、前記各突起４のねじ挿通孔５と対応して連通する挿通孔１５，１５…が開設されている。
【００１７】
カバー体３は透明な合成樹脂材からなり、台板１の金属板１ａに対応した大きさをなす長方形状の天壁３ａの外周縁に該外周縁を囲むようにして短側壁３ｂ，３ｂ及びその間の長側壁３ｃ，３ｃを張り出させ、裏面を開口した箱状に形成される。そして、一方の短側壁３ｂの開口側の下縁に前記切り離し板部１２を外側へ突出させるための細長の切欠凹部３ｄが設けられる。他方の短側壁３ｂの外側面には、切り離し可能な取付片１６ａを介して前記４個の第２嵌合部材８，８…に対応位置して４個の第１嵌合部材１６，１６…が並設される。これら４個の第１嵌合部材１６，１６…の周囲は、短側壁３ｂに一体に設けられるコ字形の囲い枠１７により囲われる。
【００１８】
前記各第１嵌合部材１６は、断面六角形状の通孔１８が開設され、該各通孔１８内に同じ大きさの断面六角形状からなる嵌合突子１９がそれぞれ挿入されることになる。該各嵌合突子１９は、各第１嵌合部材１６の通孔１８にきつく嵌入する六角柱状の大径部１９ａと、前記各第２嵌合部材８の挿入孔９にきつく嵌入する同じく六角柱状の小径部１９ｂとからなる。そして、前記各第１嵌合部材１６と各第２嵌合部材８とを合致させた状態で、第１嵌合部材１６側から通孔１８に嵌合突子１９を押し込み、下端の小径部１９ｂを第２嵌合部材８の挿入孔９に押し込む。これによって、第１・２嵌合部材８，１６が分離不能に連結され、これらを破壊しない限り台板１からカバー体３が外せなくなる。なお、カバー体３の一方の長側壁３ｃの外側面には、予備として４個の嵌合突子１９が切り離し可能に設けられる。
【００１９】
前記天壁３ａの内面の四隅部に、前記台板１の各突起４に対応位置させてそれぞれ円柱状をなしかつその先端面に螺子孔２０ａを開設したボス部２０が突設される。また、天壁３ａには、適宜位置にカバー体３内部に篭る熱を外部へ放出するための放熱孔２１，２１…が複数開設される。前記両長側壁３ｃ，３ｃの外側面であって前記第１嵌合部材１６とは反対側に、表側が膨らむ断面蒲鉾状の支持軸２２，２２が同一軸線上に突設される。これは後記する収納部材２３の軸受筒部２９，２９に嵌合させるものである。
【００２０】
図３（イ）（ロ）は収納部材の前・後側から見た斜視図である。該収納部材２３は前記球集合カバー７１の裏面の取付面７３に基板収納ケースＡの一側すなわち切り離し板部１２側に配置され取り外し不能に固着され、球集合カバー７１から基板収納ケースＡを不正の目的を持って外されないようにするためのものである。該収納部材２３は、合成樹脂製であって透明または半透明に成形され、基板収納ケースＡを前記取付面７３に縦長にして配置したとき該基板収納ケースＡの横幅より少し幅の広い横長の被覆板２４からなる。該被覆板２４の前面中央部に、後方へ窪み前面が開放した収納室２５が形成される。
【００２１】
前記収納室２５を形成する上側板部２６の前端面と被覆板２４の前面２４ａとの間に、収納室２５と連通する僅かな隙間２７が設けられる。この隙間２７には前記制御回路基板２の切り離し板部１２が挿通されることになり、上側板部２６の前端面に前記制御回路基板２に開設された２個の貫通長孔１３，１３にそれぞれ嵌り込む２個の抜止め防止手段としての抜止突起２８，２８が突設される。該各抜止突起２８は、その前端面が被覆板２４の前面２４ａと同一面となるようにその長さが設定されており、収納室２５内に収納された切り離し板部１２が前記隙間２７から抜き取ることができないようになっている。前記抜止め防止手段は他の構成であっても良い。
【００２２】
前記被覆板２４の両側上端部に、該被覆板２４よりも後方へ突出する後端部が側面から見て半円弧状に形成された中空状の軸受筒部２９，２９が一体に設けられる。各軸受筒部２９間の間隔は、前記カバー体３の短手方向の長さ寸法にほぼ設定されており、内面と前端面が連なるようにして開放され、その各後端部に前記各支持軸２２が嵌合することになる。また、各軸受筒部２９の上辺は被覆板２４の前面２４ａから前方へ突出され、それら先端に前記取付面７３の水平段部７４より僅かに上に位置する各上係合孔７５に係合する係止爪３０が設けられる。前記収納室２５の下縁の中央部に前方へ突出する支持片３１が突設され、その先端に前記取付面７３の水平段部７４より少し下に位置する下係合孔７６に係合する係止爪３２が設けられる。前記各軸受筒部２９の上面後部には、前記各支持軸２２を該各軸受筒部２９から抜き出すための抜き出し溝３３が開設される。
【００２３】
本発明に係るパチンコ遊技機Ｐは上記構成からなる。そこで、台板１の表面に切り離し板部１２が第２係合部材８とは反対側となるようにして制御回路基板２を配置し、その四隅部の各挿通孔１５を各突起４のねじ挿通孔５に合致させる。次に、台板１の表面に制御回路基板２を覆うようにしてカバー体３を被せ、各ボス部２０の下端の螺子孔２０ａを前記各挿通孔１５に合致させる。
【００２４】
この状態で、台板１の裏側から各ねじ挿通孔５、挿通孔１５を介して螺子孔２０ａに螺子３４を螺合させて、制御回路基板２と共に台板１とカバー体３を一体に組み付ける。このとき、前記各第１嵌合部材１６と第２嵌合部材８も互いに合致して嵌合する。また、カバー体３における各第１嵌合部材１６が設けられた側とは反対側の短側壁３ｂの開口下縁の切欠凹部３ｄから切り離し板部１２が突出して外部に露出する。
【００２５】
このようにして組立てられた基板収納ケースＡを図６に示すように球集合カバー７２裏面の取付面７３に配置する。そして、図７に示すように台板１の上辺両側に設けられた各係合片部７を取付面７３に突設された各弾性係止片７７の爪部７７ａに下側から差し込んで係合し、下辺の切り離し板部１２を水平段部７４下側の取付面７３に当接させる。この状態で、両軸受筒部２９，２９をカバー体３の両側に突設された支持軸２２，２２に嵌着させ、更に、両軸受筒部２９，２９の両係止爪３０、３０を上係合孔７５，７５に係合させる。同様に、被覆板２４における収納室２５の下縁の係止爪３２を下係合孔７６に係合させる。
【００２６】
これにより、図５、図８に示すように取付面７３に基板収納ケースＡが取着される。基板収納ケースＡは、上側の両係合片部７，７が両弾性係止片７７，７７の爪部７７ａ，７７ａに係合され、下側の両支持軸２２，２２が両軸受筒部２９，２９に保持されてしっかりと固定される。収納部材２３は、上側の両係止爪３０，３０が上係合孔７５，７５に係合し、下側の係止爪３２が下係合孔７６に係合して取り外し不能に固着される。また、被覆板２４の前面２４ａが取付面７３の水平段部７４の下側に密着し、収納室２５の前面開口が取付面７３により塞がれて前記切り離し板部１２が隙間２７を介して収納室２５に入り込むことになる。このとき、被覆板２４の上縁が前記制御回路基板２の薄肉溝１１に沿ってほぼ合致し、しかも、両抜止突起２８，２８が両貫通長孔１３，１３に挿通されてそれら前端面が取付面７３に当接する。
【００２７】
組立てられたパチンコ遊技機Ｐは、パチンコ遊技機の生産工場から直接にまたは倉庫を介してパチンコホールへ搬入される。ところで、その間に前記正規の基板収納ケースＡを不正処理した基板収納ケースと交換する不正行為が行なわれる可能性がある。この場合、図９に示すように前記制御回路基板２上部の両係合片部７，７を両係止片７７，７７の爪部７７ａ，７７ａから無理に外し、正規の基板収納ケースＡを両側下部の支持軸２２，２２を中心として後側へ回動させ、両支持軸２２，２２を両抜き出し溝３３，３３から抜いて取り外すことになる。
【００２８】
ところが、正規の基板収納ケースＡを後側へ回動させると、切り離し板部１２が取付面７３に抑え付けられ薄肉溝１１が折れ曲って切断される。これにより、その下側の切り離し板部１２が収納室２５内に収納される。しかも、隙間２７は抜止突起２８，２８により塞がれるので、前記切断された切り離し板部１２は収納室２５内に抜き出し不能に収納されることになる。よって、取付面７３に不正処理した基板収納ケースを交換したとしても、パチンコホールに複数のパチンコ遊技機Ｐを搬入した際、収納室２５内に切り離し板部１２が残っているか否かを見ることにより一目で解り、故意に不正処理した基板収納ケースと交換したか否かが容易に確認できることとなって、その交換行為が抑止される。これにより、パチンコ遊技機の生産工場から直接にまたは倉庫を介してパチンコホールへ搬入されるまでの間の基板収納ケースＡに対する不正行為を防止することができる。
【００２９】
また、不正処理した基板収納ケースが見破られないように正規の基板収納ケースＡと外観上同じ形状にしようと、前記切り離し板部１２をつなぐべく収納室２５から該切り離し板部１２を取り出そうとしても、隙間２７は両抜止突起２８，２８により塞がれているので、取り出すことは不可能である。しかも、仮に収納部材２３が取り外せて収納室２５から切り離し板部１２が取り出せ制御回路基板２の一側端に接合しようとしても、制御回路基板２に薄肉溝１１を跨ぐようにしてマーキング１４，１４が印刷されており、パチンコホールに到着するまでの限られた時間内にそのマーキング１４，１４を復元することは困難になり、このようにしても不正行為が防止される。
【００３０】
図１０乃至１３は他の実施の形態に係る基板収納ケースＡ１を示すものであり、図１０は他の実施の形態に係る基板収納ケースの分解斜視図、図１１は取付面に同基板収納ケースを取り付けた状態を示す斜視図、図１２は取付面に同基板収納ケースを取り付けた状態を示す側面断面図である。なお、他の実施の形態の構成は本発明とほとんど同一の構成からなるので、同一部位は同一番号を附すことにより詳しい説明は省略する。
【００３１】
他の実施の形態では、台板３５に切り離し板部１２が一体に設けられる。すなわち、台板３５は制御回路基板２に合致する縦長長方形の合成樹脂板３５ａ、例えばアクリル樹脂板からなり、該合成樹脂板３５ａ表面の外周縁に沿って方形枠状のリブ３６が周設される。そして、前記リブ３６における第二嵌合部材８が設けられた側とは反対側の外側面に台板３５の裏面と略平行な切り離し板部１２が一体に設けられる。該切り離し板部１２にはリブ３６の外周面に沿って該切り離し板部１２を折り曲げることにより切断可能な薄肉溝１１が設けられている。また、該薄肉溝１１の両側に該薄肉溝１１に交差するようにして貫通長孔１３，１３が開設される。
【００３２】
そこで、台板３５の表面に制御回路基板２を配置し、その四隅部の各挿通孔１５を各突起４のねじ挿通孔５に合致させる。次に、台板３５の表面に制御回路基板２を覆うようにしてカバー体３を被せ、各ボス部２０の下端の螺子孔２０ａを前記各挿通孔１５に合致させる。この状態で、台板３５の裏側から各ねじ挿通孔５、挿通孔１５を介して螺子孔２０ａに螺子３４を螺合させて、制御回路基板２と共に台板３５とカバー体３を一体に組み付ける。このとき、前記各第１嵌合部材１６と第２嵌合部材８も互いに合致して嵌合する。これにより、台板３５の一側に切り離し板部１２が突出した状態で基板収納ケースＡ１が組立てられる。
【００３３】
前記球集合カバー７１の裏面であって、基板収納ケースＡ１が取着される取付面７３には、前記と同じく図１１に示すように外枠６１の底面とほぼ平行な水平段部７４が形成され、該水平段部７４を境としてその下側が後方へ少し突出している。該水平段部７４のやや上側であり該水平段部７４に沿って所定の間隔離した位置に、一対の横長の上係合孔７５，７５が開設される。また、該水平段部７４の少し下側に前記両上係合孔７５，７５のほぼ中間に位置して下係合孔７６が開設される。更に、前記上係合孔７５，７５の上方であり同じ高さで所定の間隔離した位置に、爪部７７ａを後方下面に突設させた一対の弾性係止片７７，７７が突設されている。
【００３４】
前記他の実施の形態に係る基板収納ケースＡ１は、球集合カバー７２裏面の取付面７３に配置し、図１１、図１２に示すように台板３５の上辺両側に設けられた各係合片部７を取付面７３に突設された各弾性係止片７７の爪部７７ａに下側から差し込んで係合し、下辺の切り離し板部１２を水平段部７４下側の取付面７３に当接させる。この状態で、両軸受筒部２９，２９をカバー体３の両側に突設された支持軸２２，２２に嵌着させ、更に、両軸受筒部２９，２９の両係止爪３０、３０を上係合孔７５，７５に係合させる。同様に、被覆板２４における収納室２５の下縁の係止爪３２を下係合孔７６に係合させる。
【００３５】
これにより、取付面７３に基板収納ケースＡ１が取着される。基板収納ケースＡ１は、上側の両係合片部７，７が両弾性係止片７７，７７の爪部７７ａ，７７ａに係合され、下側の両支持軸２２，２２が両軸受筒部２９，２９に保持されてしっかりと固定される。収納部材２３は、上側の両係止爪３０，３０が上係合孔７５，７５に係合し、下側の係止爪３２が下係合孔７６に係合して取り外し不能に固着される。また、被覆板２４の前面２４ａが取付面７３の水平段部７４の下側に密着し、収納室２５の前面開口が取付面７３により塞がれて前記切り離し板部１２が隙間２７を介して収納室２５に入り込むことになる。このとき、被覆板２４の上縁が前記制御回路基板２の薄肉溝１１に沿ってほぼ合致し、しかも、両抜止突起２８，２８が両貫通長孔１３，１３に挿通されてそれら前端面が取付面７３に当接する。
【００３６】
他の実施の形態に係る基板収納ケースＡ１を装着したパチンコ遊技機Ｐにあっても、図１３に示すように正規の基板収納ケースＡ１を後側へ回動させると、切り離し板部１２が取付面７３に抑え付けられ薄肉溝１１が折れ曲って切断される。これにより、その下側の切り離し板部１２が収納室２５内に収納される。しかも、隙間２７は抜止め防止手段としての抜止突起２８，２８により塞がれるので、前記切断された切り離し板部１２は収納室２５内に抜き出し不能に収納されることになる。よって、取付面７３に不正処理した基板収納ケースを交換したとしても、パチンコホールに複数のパチンコ遊技機Ｐを搬入した際、収納室２５内に切り離し板部１２が残っているか否かを見ることにより一目で解り、故意に不正処理した基板収納ケースと交換したか否かが容易に確認できることとなり、その交換行為が抑止される。
【００３７】
これにより、パチンコ遊技機の生産工場から直接にまたは倉庫を介してパチンコホールへ搬入されるまでの間での基板収納ケースＡ１に対する不正行為を防止することができる。また、不正処理した基板収納ケースが見破られないように正規の基板収納ケースＡ１と外観上同じ形状にしようと、前記切り離し板部１２をつなぐべく収納室２５から該切り離し板部１２を取り出そうとしても、隙間２７は両抜止突起２８，２８により塞がれているので、取り出すことは不可能である。
【００３８】
切り離し板部１２は、制御回路基板２又は台板３５に一体に設けた構成を説明したが、他に例えばカバー体３の外周側面の一側に同様にして一体に突設するようにしても良く、更にはカバー体３の外周側面の一側に別体として成形した切り離し板部１２を接着するようにしても良い。
【図面の簡単な説明】
【００３９】
【図１】基板収納ケースの斜視図。
【図２】同分解斜視図。
【図３】（イ）は収納部材の前側から見た斜視図、（ロ）同後側から見た斜視図。
【図４】本発明に係るパチンコ遊技機の裏面図。
【図５】取付面に基板収納ケースを装着した状態を示す斜視図。
【図６】取付面に基板収納ケースを装着する前の斜視図。
【図７】取付面に基板収納ケースを取り付ける状態を示す側面断面図。
【図８】取付面に基板収納ケースを取り付けた状態を示す側面断面図。
【図９】取付面から基板収納ケースを外す状態を示す側面断面図。
【図１０】他の実施の形態に係る基板収納ケースの分解斜視図。
【図１１】取付面に同基板収納ケースを取り付けた状態を示す斜視図。
【図１２】取付面に同基板収納ケースを取り付けた状態を示す側面断面図。
【図１３】取付面から同基板収納ケースを外す状態を示す側面断面図。
【符号の説明】
【００４０】
１１              薄肉溝
１２              切り離し板部
２３              収納部材
２５              収納室
２８              抜止め防止手段（抜止突起）
６０              遊技機本体
７３              取付面
Ａ                基板収納ケース
Ａ１              基板収納ケース
Ｐ                遊技機（パチンコ遊技機）
【図１】
2007312928.tif 000003
【図２】
2007312928.tif 000004
【図３】
2007312928.tif 000005
【図４】
2007312928.tif 000006
【図５】
2007312928.tif 000007
【図６】
2007312928.tif 000008
【図７】
2007312928.tif 000009
【図８】
2007312928.tif 000010
【図９】
2007312928.tif 000011
【図１０】
2007312928.tif 000012
【図１１】
2007312928.tif 000013
【図１２】
2007312928.tif 000014
【図１３】
2007312928.tif 000015